【事件の表示】
　特許第２９０２２３７号「自動給水装置」の特許に対する特許異議の申立てについて、次のとおり決定する。
【結　論】
　訂正を認める。
　特許第２９０２２３７号の特許を維持する。
【理　由】
１．手続の経緯
　本件特許第２９０２２３７号に係る出願は、平成４年１２月１０日の出願であって、平成１１年３月１９日に特許の設定登録がなされ、その後、菊間靖郎から特許異議の申立がなされ、取消理由通知が通知され、その指定期間内である平成１２年６月１３日付けで訂正請求がなされたものである。
　
２．訂正の要旨
　訂正事項ａ：特許請求の範囲の【請求項１】を、特許請求の範囲の減縮を目的として、次のように訂正する。
「【請求項１】給水通路の途中に設けられ、該給水通路を開閉させる開閉弁と、使用者に向けて光を発する発光素子、及び使用者からの反射光を受光する受光素子を有する人検知センサと、電池を駆動電源とし、前記人検知センサの発光素子及び受光素子を駆動させるセンサ駆動手段と、前記電池からの駆動電源をセンサ駆動手段へ供給するスイッチング回路と、該スイッチング回路をＯＮ・ＯＦＦさせて前記センサ駆動手段への電力供給を間欠的に行わせる電力供給制御手段と、前記センサ駆動手段への電力供給開始から所定時間遅らせたタイミングで、該センサ駆動手段を制御して前記発光素子を発光動作させるともに、その発光動作に伴う前記受光素子からの受光信号にて使用者の有無を判別する人検知判別手段と、前記人検知判別手段の判別結果に基づいて前記開閉弁を制御する開閉弁制御手段とを備えたことを特徴とする自動給水装置。」
　訂正事項ｂ：明細書の段落【０００６】の記載を、明瞭でない記載の釈明を目的として、次のように訂正する。
「【課題を解決するための手段】
　上記目的を解決するために、この発明は、給水通路の途中に設けられ、該給水通路を開閉させる開閉弁と、使用者に向けて光を発する発光素子、及び使用者からの反射光を受光する受光素子を有する人検知センサと、電池を駆動電源とし、前記人検知センサの発光素子及び受光素子を駆動させるセンサ駆動手段と、前記電池からの駆動電源をセンサ駆動手段へ供給するスイッチング回路と、該スイッチング回路をＯＮ・ＯＦＦさせて前記センサ駆動手段への電力供給を間欠的に行わせる電力供給手段と、前記センサ駆動手段への電力供給開始から所定時間遅らせたタイミングで、該センサ駆動手段を制御して前記発光素子を発光動作させるともに、その発光動作に伴う前記受光素子からの受光信号にて使用者の有無を判別する人検知判別手段と、前記人検知判別手段の判別結果に基づいて前記開閉弁を制御する開閉弁制御手段とを備えたことを要旨とするものである。」
　訂正事項ｃ：明細書の段落【０００７】の記載を、明瞭でない記載の釈明を目的として、次のように訂正する。
「【作用】
　上記構成によれば、センサ駆動手段は、人検知センサの発光素子及び受光素子を駆動させる。電力供給制御手段は、電池からの駆動電源をスイッチング回路をＯＮ・ＯＦＦさせてセンサ駆動手段への電力供給を間欠的に行わせる。人検知判別手段は、センサ駆動手段への電力供給開始から所定時間遅らせたタイミングで、該センサ駆動手段を制御して発光素子を発光動作させるともに、その発光動作に伴う受光素子からの受光信号にて使用者の有無を判別する。開閉弁制御手段は、人検知判別手段の判別結果に基づいて開閉弁を制御する。」
　
３．訂正の適否
（１）訂正の目的の適否、新規事項の有無及び拡張・変更の存否
　上記訂正事項ａに係る訂正は、特許請求の範囲の減縮を目的とするものであり、しかもその訂正は、願書に添付した明細書又は図面に記載した事項の範囲内のものであり、さらに、実質上特許請求の範囲を拡張し、又は変更するものではない。
　また、訂正事項ｂ、ｃに係る訂正は、訂正事項ａに関連してなされた明瞭でない記載の釈明に該当し、願書に添付した明細書又は図面に記載した事項の範囲内のものであり、実質上特許請求の範囲を拡張し、又は変更するものではない。
　
（２）独立特許要件の判断
　訂正明細書の請求項１に係る発明は、訂正明細書の特許請求の範囲の請求項１に記載されたとおりのものであり（以下、「訂正後発明」という。）、これに対して、当審が先に通知した取消理由で引用した、特開平４−３００４２号公報（以下、「引用例」という。）には、特許請求の範囲、第２頁左下欄第１３行から第３頁右上欄第６行、第４頁右下欄第１行から第５頁左上欄第３行、第５頁左下欄最下行から同右下欄第１０行及び第１、５、８図の記載を参照すると、給水路に介装した給水路開閉バルブと、投光素子である赤外線発光ダイオードと受光素子であるホトトランジスタとからなる人体検知センサと、人体検知センサの駆動電源である電池と、電池からの駆動電源を投光素子を駆動させる赤外ＬＥＤ駆動回路へ供給するスイッチングトランジスタ及び受光素子を駆動させる第１，２信号処理回路へ供給するスイッチングトランジスタと、赤外ＬＥＤ駆動回路及び第１，２信号処理回路に電源供給タイミング信号を出力してスイッチングトランジスタを導通、非導通に制御し、一定周期で電源供給するコントローラと、コントローラによるタイマ処理により電源供給タイミングを制御し、投光素子を駆動させる赤外ＬＥＤ駆動回路のスイッチングトランジスタを非導通、受光素子を駆動させる第１，２信号処理回路のスイッチングトランジスタを導通に制御し、人体検知センサの受光素子であるホトトランジスタに入り込む外乱ノイズと人体検知信号とを区別するため、タイマ時間Ｔ１遅らせて人体検知センサのセンサ回路を安定させた後、投光素子を駆動させる赤外ＬＥＤ駆動回路に電源供給タイミング信号を出力してスイッチングトランジスタへ通電し発光させ、受光素子からの出力信号により人体の有無を判別する人検知判別手段と、人検知判別結果により、給水路開閉バルブの開閉制御を行うバルブ駆動部とを具備した自動給水装置が記載されている。
　訂正後発明と上記引用例に記載された発明とを比較すると、引用例に記載された発明の「給水路」、「給水路開閉バルブ」、「投光素子」、「人体検知センサ」、「赤外ＬＥＤ駆動回路及び第１，２信号処理回路」、「スイッチングトランジスタ」、「コントローラ」及び「バルブ駆動部」はいづれも、各々その機能に照らして、訂正後発明の「給水通路」、「開閉弁」、「発光素子」、「人検知センサ」、「センサ駆動手段」、「スイッチング回路」、「電力供給制御手段」及び「開閉弁制御手段」に対応するから、両者は、給水通路の途中に設けられ、該給水通路を開閉させる開閉弁と、使用者に向けて光を発する発光素子、及び使用者からの反射光を受光する受光素子を有する人検知センサと、電池を駆動電源とし、前記人検知センサの発光素子及び受光素子を駆動させるセンサ駆動手段と、前記電池からの駆動電源をセンサ駆動手段へ供給するスイッチング回路と、該スイッチング回路をＯＮ・ＯＦＦさせて前記センサ駆動手段への電力供給を間欠的に行わせる電力供給制御手段と、電力供給開始から所定時間遅らせたタイミングで、前記発光素子を発光動作させるとともに、その発光動作に伴う前記受光素子からの受光信号にて使用者の有無を判別する人検知判別手段と、前記人検知判別手段の判別結果に基づいて前記開閉弁を制御する開閉弁制御手段とを備えた自動給水装置の点で一致し、下記の点で相違している。
ａ．訂正後発明では、センサ駆動手段への電力供給開始から所定時間遅らせたタイミングで、該センサ駆動手段を制御して前記発光素子を発光動作させているのに対し、引用例に記載された発明では、センサ駆動手段のうちの受光素子を駆動させる第１，２信号処理回路への電力供給開始から所定時間遅らせたタイミングで、該センサ駆動手段のうちの投光素子を駆動させる赤外ＬＥＤ駆動回路に通電し発光させている点。
　言い換えれば、訂正後発明では、スイッチング回路をＯＮ・ＯＦＦさせてセンサ駆動手段への電力供給つまり、発光素子及び受光素子両方を駆動させる電力供給を間欠的に行わせるのに対して、引用例に記載された発明では、投光素子を駆動させる赤外ＬＥＤ駆動回路及び受光素子を駆動させる第１，２信号処理回路の各々にスイッチングトランジスタがあって、個々にＯＮ・ＯＦＦ可能であり、したがって、訂正後発明では、（スイッチング回路をＯＮさせて）発光素子を含むセンサ駆動手段への電力供給を開始し、それから所定時間遅らせたタイミングで、発光素子を発光動作させているのに対し、引用例に記載された発明では、まずセンサ駆動手段のうちの受光素子を駆動させる第１，２信号処理回路のスイッチングトランジスタを導通に制御し（受光素子を駆動させる第１，２信号処理回路へのみ電力供給し）、投光素子を駆動させる赤外ＬＥＤ駆動回路のスイッチングトランジスタを非導通（投光素子を駆動させる赤外ＬＥＤ駆動回路へは電力供給しない状態）にしておいて、所定時間遅らせたタイミングで、センサ駆動手段のうちの投光素子を駆動させる赤外ＬＥＤ駆動回路にも電力供給してスイッチングトランジスタへ通電し発光させているから、引用例には、上記相違点ａにおける訂正後発明に係る構成は記載されておらず、又、示唆するところもないといえる。
　そして、この構成の相違により、訂正後発明では、電池からの電力供給開始時に生じる出力ノイズによる悪影響を防止しているのに対し、刊行物１に記載された発明では、人体検知センサの受光素子であるホトトランジスタに入り込む外乱ノイズによる悪影響を防止し、人体検知センサのセンサ回路を安定させており、作用効果も相違している。
　したがって、訂正後発明が上記引用例に記載された発明と同一であるとも、あるいは当該発明に基づいて当業者が容易に発明をすることができたものともいえない。
　また、他に訂正後発明が独立して特許を受けることができない理由を発見しない。
　よって、訂正後発明は、特許出願の際、独立して特許を受けることができるものである。
　
（３）訂正の適否のむすび
　以上のとおりであるから、上記訂正は、特許法等の一部を改正する法律（平成６年法律第１１６号）附則第６条第１項の規定によりなお従前の例によるとされる、特許法第１２０条の４第２項及び第３項でさらに準用する特許法第１２６条第２〜４項の規定に適合するので、当該訂正を認める。
  　
４．異議の申立てについての判断
（１）申立ての理由の概要
　申立人菊間靖郎は、証拠として甲第１号証を提出して、本件請求項１に係る特許発明は、甲第１号証に記載された発明と同一であるから、特許法第２９条第１項第３号の規定により特許を受けることができないものであるかまたは、甲第１号証に記載された発明に基づいて、当業者が容易に発明をすることができたものであるから、特許法第２９条第２項の規定により特許を受けることができないものであり、本件の特許を取り消すべきであると主張している。
　
（２）判断
　上記申立人の提出した甲第１号証刊行物は、取消理由に引用した引用例と同じであるから、前記３．（２）独立特許要件の判断で示したように、訂正後発明は、申立人が提出した甲第１号証に記載された発明と同一であるとも、甲第１号証に記載された発明から当業者が容易に発明をすることができたものであるともいえない。
　
５．むすび
　以上のとおりであるから、異議申立ての理由及び証拠によっては、本件の特許を取り消すことはできない。
　また、他に本件特許を取り消すべき理由を発見しない。
　よって、結論のとおり決定する。
【異議決定日】
平成１２年７月１７日（２０００．７．１７）
【訂正の要旨】
訂正の要旨
　特許第２９０２２３７号発明の明細書を、本件特許異議申立に関連してなされた訂正請求書に添付した訂正明細書のとおりに訂正する。
　訂正事項ａ：特許請求の範囲の【請求項１】を、特許請求の範囲の減縮を目的として、次のように訂正する。
「【請求項１】給水通路の途中に設けられ、該給水通路を開閉させる開閉弁と、使用者に向けて光を発する発光素子、及び使用者からの反射光を受光する受光素子を有する人検知センサと、電池を駆動電源とし、前記人検知センサの発光素子及び受光素子を駆動させるセンサ駆動手段と、前記電池からの駆動電源をセンサ駆動手段へ供給するスイッチング回路と、該スイッチング回路をＯＮ・ＯＦＦさせて前記センサ駆動手段への電力供給を間欠的に行わせる電力供給制御手段と、前記センサ駆動手段への電力供給開始から所定時間遅らせたタイミングで、該センサ駆動手段を制御して前記発光素子を発光動作させるともに、その発光動作に伴う前記受光素子からの受光信号にて使用者の有無を判別する人検知判別手段と、前記人検知判別手段の判別結果に基づいて前記開閉弁を制御する開閉弁制御手段とを備えたことを特徴とする自動給水装置。」
　訂正事項ｂ：明細書の段落【０００６】の記載を、明瞭でない記載の釈明を目的として、次のように訂正する。
「【課題を解決するための手段】
　上記目的を解決するために、この発明は、給水通路の途中に設けられ、該給水通路を開閉させる開閉弁と、使用者に向けて光を発する発光素子、及び使用者からの反射光を受光する受光素子を有する人検知センサと、電池を駆動電源とし、前記人検知センサの発光素子及び受光素子を駆動させるセンサ駆動手段と、前記電池からの駆動電源をセンサ駆動手段へ供給するスイッチング回路と、該スイッチング回路をＯＮ・ＯＦＦさせて前記センサ駆動手段への電力供給を間欠的に行わせる電力供給手段と、前記センサ駆動手段への電力供給開始から所定時間遅らせたタイミングで、該センサ駆動手段を制御して前記発光素子を発光動作させるともに、その発光動作に伴う前記受光素子からの受光信号にて使用者の有無を判別する人検知判別手段と、前記人検知判別手段の判別結果に基づいて前記開閉弁を制御する開閉弁制御手段とを備えたことを要旨とするものである。」
　訂正事項ｃ：明細書の段落【０００７】の記載を、明瞭でない記載の釈明を目的として、次のように訂正する。
「【作用】
　上記構成によれば、センサ駆動手段は、人検知センサの発光素子及び受光素子を駆動させる。電力供給制御手段は、電池からの駆動電源をスイッチング回路をＯＮ・ＯＦＦさせてセンサ駆動手段への電力供給を間欠的に行わせる。人検知判別手段は、センサ駆動手段への電力供給開始から所定時間遅らせたタイミングで、該センサ駆動手段を制御して発光素子を発光動作させるともに、その発光動作に伴う受光素子からの受光信号にて使用者の有無を判別する。開閉弁制御手段は、人検知判別手段の判別結果に基づいて開閉弁を制御する。」
（５４）【発明の名称】
　自動給水装置
（５７）【特許請求の範囲】
　【請求項１】給水通路の途中に設けられ、該給水通路を開閉させる開閉弁と、
　使用者に向けて光を発する発光素子、及び使用者からの反射光を受光する受光素子を有する人検知センサと、
　電池を駆動電源とし、前記人検知センサの発光素子及び受光素子を駆動させるセンサ駆動手段と、
　前記電池から
の駆動電源をセンサ駆動手段へ供給するスイッチング回路と、該スイッチング回路をＯＮ・ＯＦＦさせて
　前記センサ駆動手段への電力供給開始から所定時間遅らせたタイミングで、該センサ駆動手段を制御して前記発光素子を発光動作させるともに、その発光動作に伴う前記受光素子からの受光信号にて使用者の有無を判別する人検知判別手段と、
　前記人検知判別手段の判別結果に基づいて前記開閉弁を制御する開閉弁制御手段とを備えたことを特徴とする自動給水装置。
【発明の詳細な説明】
　【０００１】
　【産業上の利用分野】
　この発明は、例えば、便器や手洗い器に用いられる自動給水装置に関するものである。
　【０００２】
　【従来の技術】
　従来、この種の自動給水装置では、発光素子と受光素子とからなる人検知センサが設けられており、同センサに接続されたセンサ回路が発光素子及び受光素子を駆動するようになっていた。そして、発光素子の発光動作に伴う受光素子からの受光信号に基づいて使用者の有無が判別されて、給水通路の途中に設けられた開閉弁が開閉制御されるようになっていた。
　【０００３】
　又、上記装置では、センサ回路の駆動電源として電池が配設され、センサ回路は電池からの供給電力により駆動するようになっていた。しかも、近年では、同電池の消費電力の低減のために電力供給動作が間欠的に行われるようになっているものが提案されていた。そして、電力供給が開始されたタイミングで、発光素子から光が発光されるようになっていた。
　【０００４】
　【発明が解決しようとする課題】
　ところが、上記従来の自動給水装置では、センサ回路への電力供給開始時にノイズが生じ易く、そのため、その電力供給開始時には受光信号の有無にかかわらず、センサ回路にノイズ信号が入力されることがあった。そして、そのノイズ信号が人検知信号とみなされると、便器、或いは水洗い器等の使用者がいないにもかかわらず、開閉弁が開放され給水動作が実施されてしまうという問題があった。
　【０００５】
　この発明は、上記問題に着目してなされたものであって、その目的とするところは、電池からの電力供給開始時に生じるノイズによる悪影響を防止して、適切な給水動作を行うことができる自動給水装置を提供することにある。
　【０００６】
　【課題を解決するための手段】
　上記目的を達成するために、この発明は、給水通路の途中に設けられ、該給水通路を開閉させる開閉弁と、使用者に向けて光を発する発光素子、及び使用者からの反射光を受光する受光素子を有する人検知センサと、電池を駆動電源とし、前記人検知センサの発光素子及び受光素子を駆動させるセンサ駆動手段と、前記電池から
の駆動電源をセンサ駆動手段へ供給するスイッチング回路と、該スイッチング回路をＯＮ・ＯＦＦさせて
　【０００７】
　【作用】
　上記構成によれば、センサ駆動手段は、人検知センサの発光素子及び受光素子を駆動させる。電力供給制御手段は、電池から
の駆動電源をスイッチング回路をＯＮ・ＯＦＦさせて
　【０００８】
　つまり、電池からセンサ駆動手段への電力供給のタイミングと、発光素子の発光動作タイミングとがずれることになり、電池からの間欠的な電力供給によりセンサ駆動手段に出力ノイズが発生しても、同ノイズとセンサ駆動手段の検知信号とが確実に区別される。その結果、ノイズによる人検知判別手段の誤判別が回避されるとともに、開閉弁の誤動作が回避される。
　【０００９】
　【実施例】
　以下、この発明を男子用小便器の自動給水装置に具体化した実施例について図面に従って説明する。
　【００１０】
　図１に示すように、壁面２に備えつけられた小便器１には、小便器１に洗浄水を供給するための給水通路としての給水管３と、汚水を排出するための排水管４とが接続されている。給水管３の途中には開閉弁としての電磁弁５が配設されており、同電磁弁５は後述する制御回路８によりオン・オフ（開閉）制御されるようになっている。そして、この電磁弁５の開弁動作によって給水管３を通して小便器１に洗浄水が供給される。
　【００１１】
　又、小便器１の上方には人検知センサ６が配設されている。人検知センサ６には、センサ駆動手段としてのセンサ回路７が接続され、さらにセンサ回路７には制御回路８が接続されている。又、センサ回路７及び制御回路８には電池９が接続されており、両回路７，８は電池９からの供給電力により駆動されるようになっている。
　【００１２】
　次いで、自動給水装置の制御系の詳細について図２を用いて説明する。
　図２に示すように、人検知センサ６は発光ダイオードからなる発光素子６ａと、ホトトランジスタからなる受光素子６ｂとから構成されており、各素子６ａ，６ｂには、それぞれセンサ回路７の発光回路１０，受光回路１１が接続されている。そして、発光素子６ａは、発光回路１０からの指令信号により光（赤外線）を発光し、受光素子６ｂは、小便器１の前に立った使用者からの反射光を受光する。受光回路１１は、受光素子６ｂの受光動作に伴い反射光有無判定回路１２に受光信号を出力する。反射光有無判定回路１２は、受光回路１１からの信号をレベル判定し、その信号が所定レベル以上の場合のみ、制御回路８に対して信号を出力する。
　【００１３】
　制御回路８は、マイクロコンピュータ１３及び電磁弁駆動回路２１を有している。このうち、マイクロコンピュータ１３は、ＣＰＵ１４、ＲＯＭ１５、ＲＡＭ１６、タイマ１７、入力ポート１８、及び出力ポート１９により構成されている。
　【００１４】
　ＣＰＵ１４には、入力ポート１８を介してセンサ回路７の反射光有無判定回路１２及び洗浄時間設定スイッチ２２が接続されている。そして、ＣＰＵ１４は反射光有無判定回路１２からの信号に基づいて小便器１の前に使用者が立っているか否かを判別する。又、洗浄時間設定スイッチ２２は、小便器１の洗浄時間を所望の値に設定するためのものである。
　【００１５】
　さらに、ＣＰＵ１４には、出力ポート１９を介してセンサ回路７の発光回路１０、電磁弁駆動回路２１、及びスイッチング回路２３が接続されている。そして、発光回路１０は、ＣＰＵ１４からの信号に基づいて発光素子６ａに対し発光動作信号を出力する。又、電磁弁駆動回路２１は、ＣＰＵ１４からの指令信号に基づいて電磁弁５に対し開閉動作信号を出力する。さらに、スイッチング回路２３は、例えばトランジスタを用いて構成されるものであり、ＣＰＵ１４からのオン・オフ信号を受けて、電池９からセンサ回路７へ電力を間欠的に供給させる。
　【００１６】
　なお、本実施例では、制御回路８により、電力供給制御手段、人検知判別手段、及び開閉弁制御手段が構成されている。
　次に、本実施例の自動給水装置の作用について説明する。
　【００１７】
　図３は作用を説明するためのタイムチャートであり、図３において、ｔ１〜ｔ４のタイミングは小便器１の使用期間を示している。
　さて、タイマ１７は、所定時間毎（例えば、１ｓｅｃ毎）にトリガパルスを発信する。そして、そのトリガパルスに対応して、ＣＰＵ１４は、スイッチング回路２３に対して所定時間Ｔ１（例えば、１．２ｍｓｅｃ）だけオン信号を出力する。このオン信号に伴い電池９からセンサ回路７への電力供給が開始され、この電力供給開始時において、センサ回路７にノイズが発生する。このノイズ信号は入力ポート１８を介してＣＰＵ１４に入力される。
　【００１８】
　その後、ＣＰＵ１４は、センサ回路７への電力供給開始から所定時間Ｔ２（Ｔ２＜Ｔ１，例えば、１．１ｍｓｅｃ）だけ遅らせたタイミングで、センサ回路７を介して発光素子６ａを発光動作させる。このとき、小便器１の前に使用者がいなければ（ｔ１のタイミング以前）、センサ回路７には、発光素子６ａの発光動作に伴う受光素子６ｂの受光信号が入力されず、ＣＰＵ１４は使用者無しと判別する。一方、ｔ１〜ｔ４のタイミングにおいて、小便器１の前に使用者がいれば、センサ回路７には、発光素子６ａの発光動作に伴う受光素子６ｂの受光信号が入力され、ＣＰＵ１４は使用者有りと判別する。つまり、ＣＰＵ１４は、電池９からの電力供給開始時よりも遅らせたタイミングで発光された発光信号に対する受光信号に基づいて使用者の有無を判別し、電力供給開始時のノイズ信号による誤検出を防止している。
　【００１９】
　そして、使用者有りと判別されると、ＣＰＵ１４は、ＲＯＭ１５内に格納されている自動洗浄プログラムを実行する。詳しくは、所定の予備洗浄待機期間（ｔ１〜ｔ２のタイミング）が経過した後、ＣＰＵ１４は電磁弁駆動回路２１を介して電磁弁５にオン信号（開弁信号）を出力し、ｔ２〜ｔ３のタイミングで予備洗浄を実施させる。又、ｔ４のタイミングで使用者が立ち去ると、ＣＰＵ１４は、ｔ５のタイミングで再び電磁弁５にオン信号（開弁信号）を出力し、その後、洗浄時間設定スイッチ２２により設定された所定時間だけ本洗浄を実施させる。
　【００２０】
　上記詳述したように、本実施例の自動給水装置によれば、電池９からセンサ回路７へ電力を間欠的に供給させるようにし、又、センサ回路７への電力供給開始から所定時間遅らせたタイミングで、該センサ回路７を制御して発光素子６ａを発光動作させるともに、その発光動作に伴う受光素子６ｂからの受光信号にて使用者の有無を判別するようにした。さらに、その判別結果に基づいて電磁弁５を制御するようにした。
　【００２１】
　つまり、電池９からセンサ回路７への電力供給のタイミングと、発光素子６ａの発光動作タイミングとをずらすことによって、電池９からの間欠的な電力供給によりセンサ回路７に出力ノイズが発生しても、同ノイズとセンサ回路７の検知信号とが確実に区別される。その結果、ノイズによる使用者の有無の誤判別が回避されるとともに、電磁弁５の誤動作が回避され、適切な給水動作が保持できる。
　【００２２】
　なお、この発明は、前記実施例に限定されるものではなく、例えば、開弁信号、又は閉弁信号により、開弁状態、又は閉弁状態を維持するラッチングソレノイドを用いて電磁弁を構成したりする等、発明の趣旨を逸脱しない範囲内において任意に変更して具体化することができる。
　【００２３】
　【発明の効果】
　この発明によれば、電池からの電力供給開始時に生じるノイズによる悪影響を防止して、適切な給水動作を行うことができるという優れた効果を発揮する。
【図面の簡単な説明】
　【図１】
　本発明を小便器の自動給水装置に具体化した一実施例を示す構成図である。
　【図２】
　自動給水装置の制御系を示すブロック図である。
　【図３】
　自動給水装置の作用を説明するためのタイムチャートである。
　【符号の説明】
　３…給水通路としての給水管、５…開閉弁としての電磁弁、６…人検知センサ、６ａ…発光素子、６ｂ…受光素子、７…センサ駆動手段としてのセンサ回路、８…電力供給制御手段，人検知判別手段，開閉弁制御手段としての制御回路、９…電池。